(57)【要約】      （修正有）【課題】接合スリットが強酸、強アルカリの溶剤により腐食されることを防いで、ステンレス管の使用寿命を延ばすステンレス管接合スリット標示構造を提供する。【解決手段】ステンレス管接合スリット標示構造のステンレス管１０は、ステンレス板１が折り曲げられた後に突き合せて接続した箇所が溶接されて形成される。溶接部には接合スリット１１が形成され、余分な半田材料が研磨・除去されて接合スリットの表面が平滑に形成される。接合スリットに対応した箇所には標示ユニット１２が形成され、接合スリットの位置が見つかり易くされる。このステンレス管が接合スリット１１を上にして水平に接続され、強酸、強アルカリなどの溶剤を輸送するために用いる流体管路が形成される。【選択図】図１
0003190922.tif 000002
【実用新案登録請求の範囲】
【請求項１】
ステンレス管と、該ステンレス管に形成された接合スリットと、標示ユニットからなるステンレス管接合スリット標示構造であって、ステンレス管は、ステンレス板が折り曲げられて形成され、折り曲げられた後に突き合せて接続した箇所が溶接され、ステンレス管上に接合スリットが形成され、溶接後の余剰の半田材料が研磨・除去されてステンレス管の接合スリットの表面が平滑に形成され、ステンレス管が水平に接続され、強酸、強アルカリなどの溶剤を輸送するために用いる流体管路が形成され、
ステンレス管の外周の接合スリットに対応した箇所には標示ユニットが形成され、標示ユニットにより、接合スリットの位置の検知が容易であり、接合スリットが上方向に位置する状態でステンレス管が組み合わされることを特徴とするステンレス管接合スリット標示構造。
【請求項２】
標示ユニットは、標示線、文字、パターン又はそれらのうちの少なくとも２つの組合せにより構成されることを特徴とする請求項１に記載のステンレス管接合スリット標示構造。
【考案の詳細な説明】
【技術分野】
【０００１】
本考案は、ステンレス管接合スリット標示構造に関するものであり、さらに詳しくは、方向識別機能を有するステンレス管接合スリット標示構造に関するものである。
【背景技術】
【０００２】
良く知られているように、ステンレス管は使用範囲が広く、強酸、強アルカリなどの溶剤の輸送にはステンレス管が使用されることが一般的である。図８に示すように、従来のステンレス管３０は、ステンレス板を折り曲げて形成される。折り曲げた後、接続箇所が溶接されるため、ステンレス管３０上に接合スリット３１が形成される。溶接の際に生じた余分な半田材料を磨耗・除去することにより、ステンレス管３０の接合スリット３１の表面が平滑に形成されると、ステンレス管３０を互いに水平に接続し、強酸、強アルカリなどの溶剤４０を輸送するために用いる流体管路が形成される。
【０００３】
しかし、上述した従来構造には、実際に使用する際、以下（１）及び（２）の欠点が指摘されている。
（１）第一に、接合スリット３１がステンレス管３０上にはっきりと標示されていないため、組み合わせる際、接合スリット３１を上へ向けない状態でステンレス管３０が管路中に接続されてしまう虞があった。接合スリット３１が上へ向けられない場合、接合スリット３１が強酸又は強アルカリなどの溶液により腐食され、図８に示すように、ステンレス管３０の接合スリット３１に孔３２が形成され（図８参照）、使用寿命が短くなってしまう虞があった。
（２）第二に、接合スリット３１が上にある状態でステンレス管が取り付けられる場合、接合スリット３１の位置をていねいに触って確かめなければならないため、時間がかかり過ぎるなど作業性に問題があった。
【考案の概要】
【考案が解決しようとする課題】
【０００４】
従って、本考案の課題は、接合スリットの位置を上方に向けた状態で、ステンレス管と組み合わせるために、接合スリットの位置を容易かつ迅速に把握する指示手段を提供することにある。
【課題を解決するための手段】
【０００５】
そこで、本考案者は、上記の本考案の課題を解決するため鋭意検討を重ねた結果、接合スリット部に表示ユニットを設けることにより、接合スリットの位置を容易に把握することができ、上記の本考案の課題を解決できることに着目し、本考案を完成するに至った。
【０００６】
すなわち、本考案の目的は、標示ユニットにより接合スリットの位置が見つかり易く、接合スリットを上に向けた状態で簡易かつ迅速にステンレス管を組み合わせ、表示ユニットを介してステンレス管が誤って接続されることを防ぎ、接合スリットが強酸、強アルカリの溶剤により腐食されることを防止することにより、ステンレス管の使用寿命を延ばし、ステンレス管を頻繁に交換する必要性を無くしてコスト負担を大幅に減らすステンレス管接合スリット標示構造を提供することにある。
【０００７】
かくして、請求項１に係る考案によれば、
ステンレス管と、該ステンレス管に形成された接合スリットと、標示ユニットからなるステンレス管接合スリット標示構造であって、ステンレス管は、ステンレス板が折り曲げられて形成され、折り曲げられた後に突き合せて接続した箇所が溶接され、ステンレス管上に接合スリットが形成され、溶接後の余剰の半田材料が研磨・除去されてステンレス管の接合スリットの表面が平滑に形成され、ステンレス管が水平に接続され、強酸、強アルカリなどの溶剤を輸送するために用いる流体管路が形成され、
ステンレス管の外周の接合スリットに対応した箇所には標示ユニットが形成され、標示ユニットにより、接合スリットの位置の検知が容易であり、接合スリットが上方向に位置する状態でステンレス管が組み合わされることを特徴とするステンレス管接合スリット標示構造が提供される。
【０００８】
請求項２に係る考案によれば、標示ユニットは、標示線、文字、パターン又はそれらのうちの少なくとも２つの組合せにより構成されることを特徴とする請求項１に記載のステンレス管接合スリット標示構造が提供される。
【考案の効果】
【０００９】
本考案は、上記の通りの構成からなり、ステンレス管を接合スリットを上に向けた状態で、容易かつ迅速に組み合わせることができ、誤ったステンレス管の接続を防止することにより、接合スリットの強酸、強アルカリによる腐食を防止することができ、ステンレス管の使用寿命を長期化することができる。
【図面の簡単な説明】
【００１０】
【図１】図１は、本考案の第１実施形態に係るステンレス管接合スリット標示構造のステンレス管を成型する状態を示す斜視図である。
【図２】図２は、本考案の第１実施形態に係るステンレス管を示す断面図である。
【図３】図３は、図２の部分拡大図である。
【図４】図４は、本考案の第１実施形態によるステンレス管接合スリット標示構造を有する高流量流体管路の使用状態の説明図である。
【図５】図５は、本考案の第１実施形態によるステンレス管接合スリット標示構造の低流量流体管路の使用状態の説明図である。
【図６】図６は、本考案の第２実施形態に係るステンレス管接合スリット標示構造を示す斜視図である。
【図７】図７は、本考案の第３実施形態に係るステンレス管接合スリット標示構造を示す斜視図である。
【図８】図８は、従来のステンレス管の腐食状態の説明図である。
【考案を実施するための形態】
【００１１】
まず、図１〜図３を参照する。図１〜図３に示すように、本考案の一実施形態に係るステンレス管接合スリット標示構造のステンレス管１０は、ステンレス板１が折り曲げられて形成され、折り曲げられた後に突き合せ接続箇所が溶接され、ステンレス管１０上に接合スリット１１が形成される。余分な半田材料が研磨・除去されることにより、ステンレス管１０の接合スリット１１の表面が平滑となるため、ステンレス管１０を水平に接続し、強酸、強アルカリなどの溶剤２０を輸送するために用いる流体管路が形成される。また、ステンレス管１０の外周の接合スリット１１に対応した箇所には標示ユニット１２が形成されている。標示ユニット１２は、検視のために提供され、ビューアを見ると直ちに接合スリット１１の現在位置を知ることができるため、接合スリット１１が上に位置する状態でステンレス管１０が組み合わされる。標示ユニット１２は、標示線、文字（図６を同時に参照する）、パターン又はそれらのうちの少なくとも２つの組合せにより構成したものからなる。
【００１２】
上述の構造により、接合スリット１１が上方を向いてステンレス管１０の高い箇所に位置すると、最も薄い接合スリット１１が強酸又は強アルカリの溶剤２０中に浸され続けて腐食が発生する。図４に示すように、高流量の流体管路は、一定効果を発揮し、図５に示すように、低流量の流体管路も効果を発揮したりすることができる（図５参照）。本考案は標示ユニット１２を利用して検視するが、ユーザは一目で接合スリット１１の現在位置を容易かつ迅速に探し出し、接合スリット１１を上へ向けた状態でステンレス管１０の接続をスムーズに行うことができる。標示ユニット１２により検視を行い、ステンレス管１０が誤って接続されることを防ぎ、接合スリット１１が強酸又は強アルカリの溶剤２０により腐食されることを防ぎ、ステンレス管１０の使用寿命を大幅に延ばしてステンレス管１０の交換頻度を減らすことができる。これによりコストを大幅に減らすことができる。
【００１３】
上述の標示ユニット１２は、図７に示すように、接合凸縁１３を両端に有するステンレス管１０上に形成することにより、同様の効果を得てもよい。
【符号の説明】
【００１４】
１  ステンレス板
１０  ステンレス管
１１  接合スリット
１２  標示ユニット
１３  接合凸縁
２０  溶剤
３０  ステンレス管
３１  接合スリット
３２  孔
４０  溶剤
【図１】
0003190922.tif 000003
【図２】
0003190922.tif 000004
【図３】
0003190922.tif 000005
【図４】
0003190922.tif 000006
【図５】
0003190922.tif 000007
【図６】
0003190922.tif 000008
【図７】
0003190922.tif 000009
【図８】
0003190922.tif 000010